(57)【要約】装身具、たとえばリング、ブレスレット、バングル、時計などが、環状配列（２）の１つまたは複数の磁石（１）を有する。一方の極性（たとえば、Ｓ）の磁極（複数の磁石であっても可）が、環状配列の少なくとも主要部分、好ましくは３６０度にわたってその半径方向外側周縁に分散される一方、逆の極性（たとえば、Ｎ）の磁極（複数の磁石であっても可）が、環状配列の半径方向内側周縁に設けられる。磁石は、金、銀、プラチナまたはそれらの合金などの装飾的金属内に少なくとも部分的に取り囲まれるが、好ましくは完全に包囲される。相補的な磁気極性を有する１対の装身具を十分に接近させて装着するカップルの場合、たとえば、一方の人が、外側にＳ極を有する結婚指輪をはめ、他方の人が外側にＮ極を有する結婚指輪をはめるとき、カップル間に感じ取ることができる引力が発生するであろう。
2006526422.tif 000002
【特許請求の範囲】
【請求項１】
１つまたは複数の永久磁石（１）を環状配列（２）に組み込んだ装身具であって、１つまたは複数の磁石の一方の極性（Ｓ）の磁極が環状配列の少なくとも主要部分にわたってその半径方向外側周縁に分散され、１つまたは複数の磁石の逆の極性（Ｎ）の磁極が環状配列の半径方向内側周縁に設けられる、装身具。
【請求項２】
複数の磁石を組み込み、該磁石は、環状配列の少なくとも主要部分に沿って一続きに配置される、請求項１に記載の装身具。
【請求項３】
一続きの磁石は、実質的に連続的である、請求項２に記載の装身具。
【請求項４】
一続きの磁石は、環状配列の実質的に３６０度にわたって延在する、請求項２または３に記載の装身具。
【請求項５】
磁石または複数の磁石の各々は、装飾的金属によって少なくとも部分的に取り囲まれる、先行する請求項のいずれか１項に記載の装身具。
【請求項６】
磁石または複数の磁石の各々は、金属によって完全に包囲される、請求項５に記載の装身具。
【請求項７】
磁石または複数の磁石の各々は、金属内のそれぞれの空所内に収容される、請求項５または６に記載の装身具。
【請求項８】
複数の磁石を組み込み、該磁石は、金属の一部分によって互いに分離される、請求項７に記載の装身具。
【請求項９】
手指または他の指にはめるリングである、先行する請求項のいずれか１項に記載の装身具。
【請求項１０】
リングは、結婚指輪である、請求項９に記載の装身具。
【請求項１１】
ブレスレットである、請求項１〜８のいずれか１項に記載の装身具。
【請求項１２】
バングルである、請求項１〜８のいずれか１項に記載の装身具。
【請求項１３】
時計である、請求項１〜８のいずれか１項に記載の装身具。
【請求項１４】
時計は、腕時計である、請求項１３に記載の装身具。
【請求項１５】
１対の装身具であって、該対の各装身具が、先行する請求項のいずれか１項に記載の装身具であり、該対の第１装身具において、１つまたは複数の磁石の一方の極性の磁極が、第１装身具の環状配列の少なくとも主要部分にわたってその半径方向外側周縁に分散され、該対の第２装身具において、１つまたは複数の磁石の逆の極性の磁極が、第２装身具の環状配列の少なくとも主要部分にわたってその半径方向外側周縁に分散される、１対の装身具。
【請求項１６】
装身具は、それぞれの装着者によって互いに十分に接近して装着されるとき、装着者の少なくとも一方が感じ取れる磁気引力を与える、請求項１５に記載の１対の装身具。
【請求項１７】
引力を与える方法であって、第１ユーザが、請求項１５に記載の１対の装身具の第１装身具を装着するステップ、第２ユーザが該対の装身具の第２装身具を装着するステップ、およびユーザの少なくとも一方が２つの装身具を互いに十分に接近させ、それにより、２つの装身具が互いに磁気的に引き付け合うようにするステップを含み、磁気引力を装着者の少なくとも一方が感じ取れる、引力を与える方法。
【請求項１８】
カップル間に引力を与える方法であって、カップルの第１人物の手指に第１磁気リングをはめるステップ、カップルの第２人物の手指に第２磁気リングをはめるステップ、および、第１および第２リングを互いに十分に接近させ、それにより、２つのリングを互いに磁気的に引き付け合わせ、磁気引力によって引力をカップル間に加えるようにするステップを含み、２つのリングは、互いに相補的なそれぞれの磁気配列を含み、それにより、装着されたリングの物理的向きに関係なく、前記磁気引力が発生するようにした、カップル間に引力を与える方法。
【請求項１９】
第１および第２リングはそれぞれ、請求項１〜１０のいずれか１項に記載の装身具である、請求項１８に記載のカップル間に引力を与える方法。
【請求項２０】
カップル間に引力を与える方法であって、カップルの第１人物の手首に第１磁気時計を装着するステップ、カップルの第２人物の手首に第２磁気時計を装着するステップ、および、第１および第２時計を互いに十分に接近させ、それにより、２つの時計を互いに磁気的に引き付け合わせ、磁気引力によって引力をカップル間に加えるようにするステップを含み、２つの時計は、互いに相補的なそれぞれの磁気配列を有するリストストラップまたはバンドを有し、それにより、装着された時計の物理的向きに関係なく、前記磁気引力が発生するようにした、カップル間に引力を与える方法。
【請求項２１】
第１および第２時計の各々は、請求項１４に記載の装身具である、請求項２０に記載のカップル間に引力を与える方法。
【発明の詳細な説明】
【技術分野】
【０００１】
本発明は、装飾品、および個人用アクセサリ、特に磁界を与える、時計、リング、ブレスレット、バングル、ペンダントなどの装身具に関する。本発明はまた、少なくとも１対のそのような装身具の装着に関する。
【背景技術】
【０００２】
本発明は、磁気材料を組み込んだ個人用アクセサリの装着に適用される。
【０００３】
特開昭６０−２１４５１７号の要約は、コバルトサマリウム粉末およびエラストマーからなり、転造して閉じたリングまたはシリンダにした永久磁石を記載している。外側周縁が一方の極を示し、内側周縁が逆の極を示す。
【０００４】
特開平８−３０８９４１号の要約は、リングの厚い内側周縁部分のリセスに埋め込まれた１つまたは複数の永久磁石を有する装飾的かつ治療用リングを記載している。本要約は、磁界の方向または極性について論じていない。
【０００５】
特開平１１−２４４０１５号の要約は、円周方向に沿って配置された長い磁石を埋め込んだ装飾的金属（金、銀、ホワイトゴールド、プラチナおよびそれらの合金、および赤黄銅など）からなるリングを記載している。本要約は、いずれの磁界の方向または極性についても論じていない。
【０００６】
特開２０００−３３４０４９号の要約は、リングの軸方向に沿って１つまたは複数の磁石を配置した装飾的かつ治療用リングを記載している。磁石は、装飾的金属で覆われる。本要約は、磁界の方向または極性について論じていない。
【０００７】
米国特許第５，９８９，１７８号は、リングから外側に延出する１対の磁石を有する治療用手指リングを記載している。磁石の極は、リングの共通直径に沿って同様に配列されている。リングは、リングの外側に共通の磁極性を設けていない。
【０００８】
米国特許第６，１０１，８４３号は、二重リング手指アクセサリを記載している。環状の外側リングが、環状の内側リング上に支持される。リングは、互いの周りを同軸的に相対回転可能である。リングは、金、銀またはプラチナなどの貴金属から形成してもよく、または廉価な金属または合成樹脂から形成することもできる。多数の永久磁石が、内側リングの外側周縁領域の周りに間隔をおいて配置されて、そこに埋め込まれる。同数の磁石も同様に、外側リングの周りに間隔をおいて配置されて、それに取り付けられる。永久磁石の向きは、内側および外側リングのそれぞれの磁石が回転整合に近い位置にあるとき、リングの相対回転に伴って、感知できる引力または反発効果が生じるように配置される。
【０００９】
【特許文献１】特開昭６０−２１４５１７号公報
【特許文献２】特開平８−３０８９４１号公報
【特許文献３】特開平１１−２４４０１５号公報
【特許文献４】特開２０００−３３４０４９号公報
【特許文献５】米国特許第５，９８９，１７８号公報
【特許文献６】米国特許第６，１０１，８４３号公報
【発明の開示】
【発明が解決しようとする課題】
【００１０】
本明細書において、装身具とは、制限するわけではないが、時計、リング、ブレスレット、バングル、ブローチ、カメオ、イヤリング、ロケット、ペンダントなどの個人用装飾品のことである。
【００１１】
本発明の１つの目的は、磁気配列を有する装身具であって、装着時に別の相補的な装身具の近くにあるとき、２つの装身具が互いに磁気的に引き付け合う装身具を提供すること、あるいは少なくとも有用な選択を公衆に提供することである。
【００１２】
本発明の第２の目的は、それぞれの装着者が装着する１対の相補的な装身具間に引力を与える方法を提供すること、あるいは少なくとも有用な選択を公衆に提供することである。
【課題を解決するための手段】
【００１３】
本発明の第１態様は、１つまたは複数の永久磁石を環状配列に組み込んだ装身具であって、１つまたは複数の磁石の一方の極性の磁極が、環状配列の少なくとも主要部分にわたってその半径方向外側周縁に分散され、１つまたは複数の磁石の逆の極性の磁極が、環状配列の半径方向内側周縁に設けられる、装身具であると大まかに言うことができる。
【００１４】
好ましくは、装身具は、複数の磁石を組み込み、それらの磁石は、環状配列の少なくとも主要部分に沿って一続きに配置される。
【００１５】
一続きの磁石は、実質的に連続的であってもよい。
【００１６】
一続きの磁石は、環状配列の実質的に３６０度にわたって延在してもよい。
【００１７】
磁石または複数の磁石の各々のいずれかは、金属によって少なくとも部分的に取り囲まれてもよく、または完全に包囲されてもよい。
【００１８】
磁石または複数の磁石の各々のいずれかは、金属内のそれぞれの空所内に収容されてもよい。
【００１９】
装身具は、金属の一部分によって互いに分離される複数の磁石を組み込んでもよい。
【００２０】
装身具は、手指または他の指にはめるリングであってもよい。
【００２１】
リングは、結婚指輪、ブレスレットまたはバングルであってもよい。
【００２２】
本発明の第２の態様は、１対の装身具であって、この対の各装身具が、第１態様に関連して上述したものであり、対の第１装身具において、１つまたは複数の磁石の一方の極性の磁極が、第１装身具の環状配列の少なくとも主要部分にわたってその半径方向外側周縁に分散され、その対の第２装身具において、１つまたは複数の磁石の逆の極性の磁極が、第２装身具の環状配列の少なくとも主要部分にわたってその半径方向外側周縁に分散される、１対の装身具であると大まかに言うことができる。
【００２３】
対の装身具は、それぞれの装着者によって互いに十分に接近して装着されるとき、装着者の少なくとも一方が感じ取れる磁気引力を与えてもよい。
【００２４】
本発明の第３の態様は、引力を与える方法であって、第１ユーザが、第２態様に関連して上述した１対の装身具の第１装身具を装着するステップ、第２ユーザがその対の装身具の第２装身具を装着するステップ、およびユーザの少なくとも一方が２つの装身具を互いに十分に接近させ、それにより、２つの装身具が互いに磁気的に引き付け合うようにするステップを含み、磁気引力を装着者の少なくとも一方が感じ取れる、引力を与える方法であると大まかに言うことができる。
【００２５】
本発明の第４の態様は、カップル間に引力を与える方法であって、カップルの第１人物の手指に第１リングをはめるステップ、カップルの第２人物の手指に第２リングをはめるステップ、および、第１および第２リングを互いに十分に接近させ、それにより、２つのリングを互いに磁気的に引き付け合わせ、磁気引力によって引力をカップル間に加えるようにするステップを含み、２つのリングは、互いに相補的なそれぞれの磁気配列を含み、それにより、装着されたリングの物理的向きに関係なく、上記磁気引力が発生するようにした、カップル間に引力を与える方法であると大まかに言うことができる。
【００２６】
第１および第２リングはそれぞれ、第１態様に関連して上述した装身具であってもよい。
【００２７】
本発明の第５の態様は、カップル間に引力を与える方法であって、カップルの第１人物の手首に第１磁気時計を装着するステップ、カップルの第２人物の手首に第２磁気時計を装着するステップ、および、第１および第２時計を互いに十分に接近させ、それにより、２つの時計を互いに磁気的に引き付け合わせ、磁気引力によって引力をカップル間に加えるようにするステップを含み、２つの時計は、互いに相補的なそれぞれの磁気配列を有するリストストラップまたはバンドを有し、それにより、装着された時計の物理的向きに関係なく、上記磁気引力が発生するようにした、カップル間に引力を与える方法であると大まかに言うことができる。
【００２８】
第１および第２時計の各々は、第１態様に関連して上述した装身具であってもよい。
【００２９】
本発明はさらに、本明細書に記載し、かつ添付図面に示された部品または特徴の代替組み合わせで構成することであると言うことができる。しかしながら、明示されていないこれらの部品または特徴の既知の同等物が含まれると見なされる。
【発明を実施するための最良の形態】
【００３０】
本発明に従った装身具をさまざまな形で実現してもよいことは、理解できるであろう。次に、例示のためだけであって、制限する意図はないが、添付の図面を参照しながら本発明の好適な実施形態を説明する。
【実施例１】
【００３１】
図１および図２は、本発明の一態様に従った第１装身具を示す。すでに上述しているように、本明細書において装身具とは、制限するわけではないが、時計、リング、ブレスレット、バングル、ブローチ、カメオ、イヤリング、ロケット、ペンダントなどの個人用装飾品のことである。
【００３２】
一続きになった１６個の永久磁石１が、点線の輪郭２で表される環状配列に並べられている。磁石は任意の適当な形状および材料でよいが、本実施形態では、磁石は立方形であって、好ましくは希土類材料、たとえば焼結Ｎｄ−Ｆｅ−Ｂ（ネオジム−鉄−ホウ素）である。
【００３３】
各磁石は、向き合った大表面に逆の極を有する。磁石は、同じ極が同様の向きである、すなわち、一方の極性のすべての極が半径方向外側に向き、逆の極性のすべての極が半径方向内側に向くようにして、環状に配置される。図１および図２に示す配置では、図１にＳおよびＮの表示で表されるように、すべてのＳ極が外側に向き、すべてのＮ極が内側に向く。
【００３４】
磁石は、（図示のように）環状配列の３６０度にわたって、またはその少なくとも主要部分にわたって、実質的に連続した一続きに並べられる。隣接した磁石は互いに当接し、または図１及び図２に示されているように、隣接した磁石は互いにわずかな間隔をおいて配置される。隣接した磁石間の間隔の１つまたは複数を十分に大きくして、装身具の別の要素、たとえば宝石または他の装飾的特徴を収容できるようにするか、または腕時計の場合、磁石をリストストラップまたはバンドの周囲に分散させて、時計または時計ベゼルを収容する隙間を残すようにしてもよい。
【００３５】
図３及び図４は、本発明の一態様に従った第２装身具を示す。本実施形態では、２つの永久磁石３が、点線の輪郭４で表された環状配列に並べられている。本実施形態では、磁石が半円弧の形である。他の円弧形状を有する他の数の磁石を使用してもよい。たとえば、四分円形の磁石、あるいはもっと小さい円弧形の磁石をもっと多数、使用してもよい。
【００３６】
各磁石は、両方の、すなわち内側及び外側の周縁面に逆の極を有する。磁石は、同じ極が同様の向きである、すなわち、一方の極性の極が半径方向外側に向き、逆の極性の極が半径方向内側に向くようにして環状に配置される。図３および図４に示す配置では、図３にＳおよびＮの表示で表されるように、Ｓ極が外側に向き、Ｎ極が内側に向く。
【００３７】
磁石は互いに当接してもよく、または図３及び図４に示されているように、互いにわずかな間隔をおいて配置されてもよい。間隔の一方または両方を十分に大きくして、装身具の別の要素、たとえば宝石または他の装飾的特徴を収容できるようにするか、または腕時計の場合、磁石をリストストラップまたはバンドの周囲に分散させて、時計または時計ベゼルを収容する隙間を残すようにしてもよい。
【００３８】
図５及び図６は、本発明の一態様に従った第３装身具を示す。本実施形態は、単一の環状の永久磁石５を有する。
【００３９】
磁石は、両方の、すなわち内側及び外側の周縁面に逆の極を有する。多重Ｎ極およびＳ極の場合、磁石は、同じ極が同様の向きになる、すなわち、一方の極性の極が半径方向外側に向き、逆の極性の極が半径方向内側に向く。図５および図６に示す配列では、図３にＳおよびＮの表示で表されるように、Ｓ極または複数のＳ極が外側に向き、Ｎ極または複数のＮ極が内側に向く。これらの表示は、多重Ｎ極およびＳ極、または単一のＮ極およびＳ極の円周方向分布のいずれかを表す。
【００４０】
上記の装身具は好ましくは、図１〜図６の点線の輪郭２、４および６で表されているような環状の形をなす。そのような環状の装身具の例には、（たとえば、手指、または親指や足指などの他の指にはめるための）リング、またはブレスレットまたはバングル、またはリストストラップまたはバンドを有する時計が含まれる。本発明の態様に従った特に好適な装身具には、婚約指輪、結婚指輪および腕時計が含まれる。
【００４１】
装身具内の磁石または複数の磁石の各々は、装飾的な金属、たとえば金、銀、プラチナまたはこれらの合金などの貴金属によって少なくとも部分的に取り囲まれるか、または完全に包囲される。他の金属または合金、たとえばピューターまたは真ちゅうを使用してもよい。金属は好ましくは、点線の輪郭２、４および６で概略的に示されているような環状に形作られる。もちろん、添付の特許請求の範囲によって定義される本発明の範囲から逸脱しない限り、装身具に美的デザイン特徴を取り入れた変化を組み込んでもよい。
【００４２】
上記実施形態の磁石は、任意の適当な方法によって、たとえば、接着剤を使用するか、装身具の製造の専門家には周知であるようなつめによって所定位置に固定されてもよい。
【００４３】
１つの態様では、装飾的金属は、環状に形作られ、１つまたは複数の空所が、それぞれの磁石を収容するために形成されている。一構造では、隣接した磁石が、隣接した空所の間の装飾的金属の壁によって互いに分離される。
【００４４】
装身具に組み込み前または後のいずれで磁石を磁化してもよい。
【００４５】
以上に説明し、かつ図示した配列では１つの磁気向きだけを、すなわち、Ｓ極または複数のＳ極が外側を向き、Ｎ極または複数のＮ極が内側を向くように示しているが、磁気極性を逆の向きに、すなわち、Ｎ極または複数のＮ極が外側を向き、Ｓ極または複数のＳ極が内側を向くようにして、磁石または複数の磁石を配置してもよいことを評価されたい。
【００４６】
上記の本発明の態様は、同様の装身具と組み合わせて使用されるとき、特殊な応用を有する。好ましくは、二人がそれぞれ上記の同様な装身具を装着する。２つの装身具は、磁極が逆向きであるが、他の点では機能的に、見た目はそうでなくても、同様である。
【００４７】
たとえば、以下の説明は、カップルがはめる１対の結婚指輪すなわちリングに関する。一方の結婚指輪は、外側に面するＮ極と内側に面するＳ極とを有し、一方の人がはめる一方、他方の結婚指輪は、外側に面するＳ極と内側に面するＮ極とを有し、他方の人がはめる。リングを十分に接近させる、たとえばカップルが手を握るか、まさに手を握ろうとするとき、リングが互いに磁気的に引き付け合い、カップルは、リングを、したがってカップルの手をより近くへ引き寄せようとする引力を感じる。
【００４８】
リングの各々が、一方の極だけを半径方向外側に向け、かつ１対のリングの外側に向けられた極が逆の極性であることを理解されたい。したがって、リングが装着されて互いに十分に接近しているとき、指の上でのそれらの向きに関係なく、リングは常に引き付け合い、反発し合うことはない。
【００４９】
以上に説明し、かつ特許請求の範囲に記載されている装身具であって、それらが相補的な磁気極性を有するとき、そのような装身具をはめているカップル間に引力を発生することができることは、理解できるであろう。
【００５０】
一方の磁気極性向きを有する装身具を１群の人々、たとえば、女性、さらに特定すると、異性の女性用に販売する一方、逆の磁気極性向きを有する装身具を別群の人々、たとえば、男性、さらに特定すると、異性の男性用に販売することが考えられる。さらに、磁気極性が逆向きである相補的な対の装身具をカップルに、特に婚約または結婚しているカップルに販売することが考えられる。
【００５１】
以上に説明した装身具は、一般的に身体の一部に装着することができるが、本発明は、環状の装身具に限定されないことも理解されるであろう。すなわち、環状磁気配列を、環状に形作られた装身具内に収容することは必ずしも必要ではない。たとえば、装身具は、環状磁気配列を貫通する穴を有する必要がない。磁石は、ロケット、メダルまたは他の装飾品の周囲のボーダまたはリムとして環状に配置されることもできる。
【００５２】
以上は、本発明を、その好適な形および方法を含めて説明している。当業者には明白である代替および修正は、添付の特許請求の範囲で定義される本発明の範囲に含まれるものとする。
【００５３】
請求項１に見られる括弧でくくられた英数字は、図面でそのような英数字が付けられた特徴を表し、請求する発明をいずれの特定の配列にも、または磁極のいずれの特定の極性にも制限されないものと解釈すべきであることに留意されたい。
【図面の簡単な説明】
【００５４】
【図１】図１は、装身具内の磁石の第１環状配列の平面図を示し、
【図２】図２は、図１のＡ−Ａ線に沿った断面図を示し、
【図３】図３は、装身具内の磁石の第２環状配列の平面図を示し、
【図４】図４は、図３のＢ−Ｂ線に沿った断面図を示し、
【図５】図５は、装身具内の環状磁石の平面図を示し、
【図６】図６は、図５のＣ−Ｃ線に沿った断面図を示す。
【図１】
2006526422.tif 000003
【図２】
2006526422.tif 000004
【図３】
2006526422.tif 000005
【図４】
2006526422.tif 000006
【図５】
2006526422.tif 000007
【図６】
2006526422.tif 000008
【手続補正書】
【提出日】平成16年6月14日(2004.6.14)
【手続補正１】
【補正対象書類名】特許請求の範囲
【補正対象項目名】全文
【補正方法】変更
【補正の内容】
【特許請求の範囲】
【請求項１】
複数の永久磁石（１）を環状配列（２）に組み込んだ装身具であって、一方の極性（たとえば、Ｓ）の磁極が前記環状配列の少なくとも主要部分にわたってその半径方向外側周縁に分散され、逆の極性（たとえば、Ｎ）の磁極が前記環状配列の半径方向内側周縁に設けられていることを特長とする装身具。
【請求項２】
前記磁石は前記環状配列の少なくとも主要部分に沿ってほぼ連続した一続きに配置されていることを特長とする請求項１に記載の装身具。
【請求項３】
前記一続きの磁石は前記環状配列のほぼ３６０度にわたって延在していることを特長とする請求項２に記載の装身具。
【請求項４】
前記各磁石は装飾的金属によって少なくとも部分的に取り囲まれていることを特長とする先行する請求項のいずれか１項に記載の装身具。
【請求項５】
前記各磁石は前記金属によって完全に包囲されていることを特長とする請求項４に記載の装身具。
【請求項６】
前記各磁石は前記金属内のそれぞれの空所内に収容されていることを特長とする請求項４または５に記載の装身具。
【請求項７】
前記磁石は前記金属の一部分によって互いに分離されていることを特長とする請求項４に記載の装身具。
【請求項８】
前記装身具は手指または他の指にはめるリングであることを特長とする先行する請求項のいずれか１項に記載の装身具。
【請求項９】
前記リングは結婚指輪であることを特長とする請求項８に記載の装身具。
【請求項１０】
前記装身具はブレスレットであることを特長とする請求項１〜９のいずれか１項に記載の装身具。
【請求項１１】
前記装身具はバングルであることを特長とする請求項１〜９のいずれか１項に記載の装身具。
【請求項１２】
前記装身具は時計であることを特長とする請求項１〜９のいずれか１項に記載の装身具。
【請求項１３】
前記時計は腕時計であることを特長とする請求項１２に記載の装身具。
【請求項１４】
前記装身具は４つ以上の永久磁石を環状配列に有することを特長とする先行する請求項のいずれか１項に記載の装身具。
【請求項１５】
１対の装身具であって、装身具の外周の任意部分が互いに十分に接近しているとき、２つの装身具間に引力を与えるようになっており、
対の第１装身具は、複数の永久磁石を環状配列に組み込み、Ｎ磁極が前記第１装身具の前記環状配列の半径方向外側周縁の少なくとも主要部分にわたって分散され、Ｓ磁極が前記第１装身具の前記環状配列の半径方向内側周縁に設けられており、
対の第２装身具は、複数の永久磁石を環状配列に組み込み、Ｓ磁極が前記第２装身具の前記環状配列の半径方向外側周縁の少なくとも主要部分にわたって分散され、Ｎ磁極が前記第２装身具の前記環状配列の半径方向内側周縁に設けられており、
前記装身具が互いに十分に接近しており、それにより、磁力が、装着された装身具の物理的向きに関係なく、前記２つの装身具を互いの方に引き付ける引力を与えることができることを特長とする１対の装身具。
【請求項１６】
前記１対の装身具は対の少なくとも一方の前記装身具をそれぞれの装着者が装着することを特長とする請求項１５に記載の１対の装身具。
【請求項１７】
前記装身具は環状であって、前記対の少なくとも一方の装身具は、それぞれの装着者の身体の一部を取り囲むように装着されることを特長とする請求項１６に記載の１対の装身具。
【請求項１８】
前記装身具対は１対のリングであることを特長とする請求項１５、１６または１７に記載の１対の装身具。
【請求項１９】
前記１対のリングは結婚指輪であることを特長とする請求項１８に記載の１対の装身具。
【請求項２０】
前記少なくとも一方の装身具の環状配列は４つ以上の永久磁石を有することを特長とする請求項１５〜１９のいずれか１項に記載の１対の装身具。
【請求項２１】
１対の装身具の外周の任意部分が互いに十分に接近しているとき、それらの装身具間に相互引力を与える方法であって、
（ａ）前記対の第１装身具内に複数の永久磁石を環状配列に組み込むステップであって、Ｎ磁極が前記第１装身具の前記環状配列の少なくとも主要部分にわたって前記第１装身具の前記環状配列の半径方向外側周縁に分散され、Ｓ磁極が前記第１装身具の前記環状配列の半径方向内側周縁に設けられるステップ、
（ｂ）前記対の第２装身具内に複数の永久磁石を環状配列に組み込むステップであって、Ｓ磁極が前記第２装身具の前記環状配列の少なくとも主要部分にわたって前記第２装身具の前記環状配列の半径方向外側周縁に分散され、Ｎ磁極が前記第２装身具の前記環状配列の半径方向内側周縁に設けられるステップ、及び、
（ｃ）前記装身具の外周の任意部分を互いに十分に接近させるステップ
を含むことを特長とする相互引力を与える方法。
【請求項２２】
前記装身具の少なくとも一方をそれぞれの装着者が装着することを特長とする請求項２１に記載の引力を与える方法。
【請求項２３】
前記装身具は環状であって、前記少なくとも一方の装身具はそれぞれの装着者のそれぞれの身体の一部を取り囲むように装着される、請求項２２に記載の引力を与える方法。
【請求項２４】
前記装身具対は１対のリングであることを特長とする請求項２１、２２または２３に記載の引力を与える方法。
【請求項２５】
前記１対のリングは結婚指輪であることを特長とする請求項２４に記載の引力を与える方法。
【請求項２６】
前記少なくとも一方の装身具の前記環状配列は４つ以上の永久磁石を有することを特長とする請求項２１〜２５のいずれか１項に記載の引力を与える方法。
【手続補正２】
【補正対象書類名】明細書
【補正対象項目名】全文
【補正方法】変更
【補正の内容】
【発明の詳細な説明】
【技術分野】
【０００１】
本発明は、装飾品、及び個人用アクセサリ、特に磁界を与える、時計、リング、ブレスレット、バングル、ペンダントなどの装身具に関する。本発明はまた、少なくとも１対のそのような装身具の装着に関する。
【背景技術】
【０００２】
本発明は、磁気材料を組み込んだ個人用アクセサリの装着に適用される。
【０００３】
特開昭６０−２１４５１７号の要約は、コバルトサマリウム粉末及びエラストマーからなり、転造して閉じたリングまたはシリンダにした永久磁石を記載している。外側周縁が一方の極を示し、内側周縁が逆の極を示す。
【０００４】
特開平８−３０８９４１号の要約は、リングの厚い内側周縁部分のリセスに埋め込まれた１つまたは複数の永久磁石を有する装飾的かつ治療用リングを記載している。本要約は、磁界の方向または極性については論じていない。
【０００５】
特開平１１−２４４０１５号の要約は、円周方向に沿って配置された長い磁石を埋め込んだ装飾的金属（金、銀、ホワイトゴールド、プラチナ及びそれらの合金、及び赤黄銅など）からなるリングを記載している。本要約は、いずれの磁界の方向または極性についても論じていない。
【０００６】
特開２０００−３３４０４９号の要約は、リングの軸方向に沿って１つまたは複数の磁石を配置した装飾的かつ治療用リングを記載している。磁石は、装飾的金属で覆われる。本要約は、磁界の方向または極性については論じていない。
【０００７】
米国特許第５，９８９，１７８号は、リングから外側に延出する１対の磁石を有する治療用手指リングを記載している。磁石の極は、リングの共通直径に沿って同様に配列されている。リングは、リングの外側に共通の磁極性を設けていない。
【０００８】
米国特許第６，１０１，８４３号は、二重リング手指アクセサリを記載している。環状の外側リングが、環状の内側リング上に支持される。リングは、互いの周りを同軸的に相対回転可能である。リングは、金、銀またはプラチナなどの貴金属から形成してもよく、または廉価な金属または合成樹脂から形成することもできる。多数の永久磁石が、内側リングの外側周縁領域の周りに間隔を置いて配置されて、そこに埋め込まれる。同数の磁石も同様に、外側リングの周りに間隔を置いて配置されて、それに取り付けられる。永久磁石の向きは、内側及び外側リングのそれぞれの磁石が回転整合に近い位置にあるとき、リングの相対回転に伴って、感知できる引力または反発効果が生じるように配置される。
【０００９】
米国特許第６，５４４，１６４号は、装着者に治療的恩恵を与えるために、弾性糸で天然水晶及びセラミックビーズとともにつながれたさまざまな形状及び色の磁気材料を記載している。
【００１０】
欧州特許出願第５１９，１６９号は、治療に適用するための幾つかの磁気リング形部品を記載している。特に、その出願の図１に示され、かつ記載されている実施形態では、Ｓ極を内側周縁に、Ｎ極を外側周縁にする半径方向磁化が行われる。
【００１１】
【特許文献１】特開昭６０−２１４５１７号公報
【特許文献２】特開平８−３０８９４１号公報
【特許文献３】特開平１１−２４４０１５号公報
【特許文献４】特開２０００−３３４０４９号公報
【特許文献５】米国特許第５，９８９，１７８号公報
【特許文献６】米国特許第６，１０１，８４３号公報
【特許文献７】米国特許第６，５４４，１６４号公報
【特許文献８】欧州特許出願第５１９，１６９号公報
【発明の開示】
【発明が解決しようとする課題】
【００１２】
本明細書において、装身具とは、これらに限られるわけではないが、時計、リング、ブレスレット、バングル、ブローチ、カメオ、イヤリング、ロケット、ペンダントなどの個人用装飾品のことである。
【００１３】
本発明の１つの目的は、磁気配列を有する装身具であって、装着時に別の相補的な装身具の近くにあるとき、２つの装身具が互いに磁気的に引き付け合う装身具を提供すること、あるいは少なくとも有用な選択を公衆に提供することである。
【００１４】
本発明の第２の目的は、それぞれの装着者が装着する１対の相補的な装身具間に引力を与える方法を提供すること、あるいは少なくとも有用な選択を公衆に提供することである。
【課題を解決するための手段】
【００１５】
本発明の第１態様は、概略的にいうと、複数の永久磁石を環状配列に組み込んだ装身具であって、一方の極性の磁極が、環状配列の少なくとも主要部分にわたってその半径方向外側周縁に分散され、逆の極性の磁極が、環状配列の半径方向内側周縁に設けられる、装身具であると言うことができる。
【００１６】
好ましくは、磁石は、環状配列の少なくとも主要部分に沿ってほぼ連続した一続きに配置される。
【００１７】
一続きの磁石は、環状配列のほぼ３６０度にわたって延在してもよい。
【００１８】
各磁石は、装飾的金属によって少なくとも部分的に取り囲まれてもよく、または完全に包囲されてもよい。
【００１９】
各磁石は、金属内のそれぞれの空所内に収容されてもよい。
【００２０】
磁石は、金属の一部分によって互いに分離されてもよい。
【００２１】
装身具は、手指または他の指にはめるリングであってもよい。
【００２２】
リングは、結婚指輪、ブレスレットまたはバングルであってもよい。
【００２３】
好ましくは装身具は、４つ以上の永久磁石を環状配列に有する。
【００２４】
本発明の第２の態様は、概略的にいうと、１対の装身具であって、装身具の外周の任意部分が互いに十分に接近しているとき、２つの装身具間に引力を与えるようになっており、対の第１装身具は、複数の永久磁石を環状配列に組み込み、Ｎ磁極が第１装身具の環状配列の半径方向外側周縁の少なくとも主要部分にわたって分散され、Ｓ磁極が第１装身具の環状配列の半径方向内側周縁に設けられており、対の第２装身具は、複数の永久磁石を環状配列に組み込み、Ｓ磁極が第２装身具の環状配列の半径方向外側周縁の少なくとも主要部分にわたって分散され、Ｎ磁極が第２装身具の環状配列の半径方向内側周縁に設けられており、また、装身具が互いに十分に接近しており、それにより、磁力が、装着された装身具の物理的向きに関係なく、２つの装身具を互いの方に引き付ける引力を与えることができる、１対の装身具であると言うことができる。
【００２５】
本発明の第３の態様は、概略的にいうと、１対の装身具の外周の任意部分が互いに十分に接近しているとき、それらの装身具間に相互引力を与える方法であって、
（ａ）対の第１装身具内に複数の永久磁石を環状配列に組み込むステップであって、Ｎ磁極が第１装身具の環状配列の少なくとも主要部分にわたって第１装身具の環状配列の半径方向外側周縁に分散され、Ｓ磁極が第１装身具の環状配列の半径方向内側周縁に設けられるステップ、
（ｂ）対の第２装身具内に複数の永久磁石を環状配列に組み込むステップであって、Ｓ磁極が第２装身具の環状配列の少なくとも主要部分にわたって第２装身具の環状配列の半径方向外側周縁に分散され、Ｎ磁極が第２装身具の環状配列の半径方向内側周縁に設けられるステップ、及び、
（ｃ）装身具の外周の任意部分を互いに十分に接近させるステップであって、それにより、磁石が２つの装身具間に相互引力を与えるステップ、
を含む方法であると言うことができる。
【００２６】
本発明の第２または第３態様において、装身具の少なくとも一方をそれぞれの装着者が装着してもよく、好ましくは装身具は環状であって、それぞれの装着者のそれぞれの身体の一部を取り囲むように装着される。装身具対は、１対のリング、好ましくは１対の結婚指輪であってもよい。さらに、少なくとも一方の装身具の環状配列は、４つ以上の永久磁石を有してもよい。
【００２７】
本発明はさらに、本明細書に記載し、または添付図面に示された部品または特徴部分に代替する組み合わせによっても成立すると言うことができる。しかしながら、明示されていないこれらの部品または特徴の既知の同等物が含まれると見なされる。
【発明を実施するための最良の形態】
【００２８】
本発明に従った装身具をさまざまな形で実現してもよいことは、十分に理解しうる。次に、添付の図面を参照しながら本発明の好適な実施形態を説明するが、例示の目的であって、これに限定する意図ではない。
【実施例１】
【００２９】
図１及び図２は、本発明の一態様に従った第１装身具を示す。すでに上述しているように、本明細書において装身具とは、制限するわけではないが、時計、リング、ブレスレット、バングル、ブローチ、カメオ、イヤリング、ロケット、ペンダントなどの個人用装飾品のことである。
【００３０】
一続きになった１６個の永久磁石１が、点線の輪郭２で表される環状配列に並べられている。磁石は任意の適当な形状及び材料でよいが、本実施形態では、磁石は立方形であって、好ましくは希土類材料、たとえば焼結Ｎｄ−Ｆｅ−Ｂ（ネオジム−鉄−ホウ素）である。
【００３１】
各磁石は、向き合った大表面に逆の極を有する。磁石は、同じ極が同じ側の向きである、すなわち、一方の極性のすべての極が半径方向外側に向き、逆の極性のすべての極が半径方向内側に向くようにして、環状に配置される。図１及び図２に示す配置では、図１にＳ及びＮの表示で表されるように、すべてのＳ極が外側に向き、すべてのＮ極が内側に向いている。
【００３２】
磁石は、（図示のように）環状配列の３６０度にわたって、またはその少なくとも主要部分にわたって、ほぼ連続した一続きに並べられている。隣接した磁石は互いに当接し、または図１及び図２に示されているように、隣接した磁石は互いにわずかな間隔をおいて配置される。隣接した磁石間の間隔の１つまたは複数を十分に大きくして、装身具の別の要素、たとえば宝石または他の装飾的特徴部分を収容できるようにするか、または腕時計の場合、磁石をリストストラップまたはバンドの周囲に分散させて、時計または時計ベゼルを収容する隙間を残すようにしてもよい。
【００３３】
図３及び図４は、本発明の一態様に従った第２装身具を示す。本実施形態では、２つの永久磁石３が、点線の輪郭４で表された環状配列に並べられている。本実施形態では、磁石が半円弧の形である。他の円弧形状を有する他の数の磁石を使用してもよい。たとえば、四分円形の磁石、あるいはもっと小さい円弧形の磁石をより多数使用してもよい。
【００３４】
各磁石は、両方の、すなわち内側及び外側の周縁面に逆の極を有している。磁石は、同じ極が同じ側の向きである、すなわち、一方の極性の極が半径方向外側に向き、逆の極性の極が半径方向内側に向くようにして環状に配置されている。図３及び図４に示す配置では、図３にＳ及びＮの表示で表されるように、Ｓ極が外側に向き、Ｎ極が内側に向いている。
【００３５】
磁石は互いに当接してもよく、または図３及び図４に示されているように、互いにわずかな間隔を置いて配置されてもよい。間隔の一方または両方を十分に大きくして、装身具の別の要素、たとえば宝石または他の装飾的特徴部分を収容できるようにするか、または腕時計の場合、磁石をリストストラップまたはバンドの周囲に分散させて、時計または時計ベゼルを収容する隙間を残すようにしてもよい。
【００３６】
図５及び図６は、単一の環状の永久磁石５を有する第３装身具を示す。
【００３７】
磁石は、両方の、すなわち内側及び外側の周縁面に逆の極を有する。多重Ｎ極及びＳ極の場合、磁石は、同じ極が同じ側の向きになる、すなわち、一方の極性の極が半径方向外側に向き、逆の極性の極が半径方向内側に向いている。図５及び図６に示す配列では、図３にＳ及びＮの表示で表されるように、Ｓ極または複数のＳ極が外側に向き、Ｎ極または複数のＮ極が内側に向いている。これらの表示は、多重Ｎ極及びＳ極、または単一のＮ極及びＳ極の円周方向分布のいずれかを表している。
【００３８】
上記の装身具は好ましくは、図１〜図６の点線の輪郭２、４及び６で表されているような環状の形をなす。そのような環状の装身具の例には、（たとえば、手指、または親指や足指などの他の指にはめるための）リング、またはブレスレットまたはバングル、またはリストストラップまたはバンドを有する時計が含まれる。本発明の態様に従った特に好適な装身具には、婚約指輪、結婚指輪及び腕時計が含まれる。
【００３９】
装身具内の磁石または複数の磁石の各々は、装飾的な金属、たとえば金、銀、プラチナまたはこれらの合金などの貴金属によって少なくとも部分的に取り囲まれるか、または完全に包囲される。他の金属または合金、たとえばピューターまたは真ちゅうを使用してもよい。金属は好ましくは、点線の輪郭２、４及び６で概略的に示されているような環状に形作られる。もちろん、添付の特許請求の範囲によって定義される本発明の範囲から逸脱しない限り、装身具に美的デザインの特徴部分を取り入れた変形例を組み込んでもよい。
【００４０】
上記実施形態の磁石は、任意の適当な方法によって、たとえば、接着剤を使用するか、装身具の製造の専門家には周知であるような爪によって所定位置に固定されてもよい。
【００４１】
ある態様では、装飾的金属は、環状に形作られ、１つまたは複数の空所が、それぞれの磁石を収容するために形成されている。ある構造では、隣接した磁石が、隣接した空所の間の装飾的金属の壁によって互いに分離されている。
【００４２】
装身具に組み込み前または後のいずれで磁石を磁化してもよい。
【００４３】
以上に説明し、かつ図示した配列では１つの磁気の向きだけを、すなわち、Ｓ極または複数のＳ極が外側を向き、Ｎ極または複数のＮ極が内側を向くように示しているが、磁気極性を逆の向きに、すなわち、Ｎ極または複数のＮ極が外側を向き、Ｓ極または複数のＳ極が内側を向くようにして、磁石または複数の磁石を配置してもよいことが十分理解できる。
【００４４】
上記の本発明の態様は、同様の装身具と組み合わせて使用されるとき、特有な応用例を有する。好ましくは、二人がそれぞれ上記の同様な装身具を装着する。２つの装身具は、磁極が逆向きであるが、他の点では、外観的には同様でなくても、機能的には同様である。
【００４５】
たとえば、以下の説明は、カップルがはめる１対の結婚指輪すなわちリングに関するものである。一方の結婚指輪は、外側に面するＮ極と内側に面するＳ極とを有し、一方の人がはめる一方、他方の結婚指輪は、外側に面するＳ極と内側に面するＮ極とを有し、他方の人がはめる。リングを十分に接近させる、たとえばカップルが手を握るか、まさに手を握ろうとするとき、リングが互いに磁気的に引き付け合い、カップルは、リングを、したがってカップルの手をより近くへ引き寄せようとする引力を感じる。
【００４６】
リングの各々が、一方の極だけを半径方向外側に向け、かつ１対のリングの外側に向けられた極が逆の極性であることを理解されたい。したがって、リングが装着されて互いに十分に接近しているとき、指の上でのそれらの向きに関係なく、リングは常に引き付け合い、反発し合うことはない。
【００４７】
以上に説明し、かつ特許請求の範囲に記載されている装身具であって、それらが相補的な磁気極性を有するとき、そのような装身具をはめているカップル間に引力を発生することができることは、理解できるであろう。
【００４８】
一方の磁気極性向きを有する装身具を１群の人々、たとえば、女性、さらに特定すると、異性としての女性への贈答用に販売する一方、逆の磁気極性向きを有する装身具を別群の人々、たとえば、男性、さらに特定すると、異性としての男性への贈答用に販売することが考えられる。さらに、磁気極性が逆向きである相補的な対の装身具をカップルに、特に婚約または結婚しているカップルに販売することが考えられる。
【００４９】
以上に説明した装身具は、一般的に身体の一部に装着することができるが、本発明は、環状の装身具に限定されないことも理解されるであろう。すなわち、環状磁気配列を、環状に形作られた装身具内に収容することは必ずしも必要ではない。たとえば、装身具は、環状磁気配列を貫通する穴を有する必要がない。磁石は、ロケット、メダルまたは他の装飾品の周囲のボーダまたはリムとして環状に配置されることもできる。
【００５０】
以上において、本発明をその好適な形態及び方法を含めて説明している。当業者にとって明白といえる程度の代替及び修正は、添付の特許請求の範囲で定義される本発明の範囲に含まれるものとする。
【００５１】
請求項１に見られる括弧でくくられた英数字は、図面でそのような英数字が付けられた特徴部分を表し、特許を請求する発明を、いずれの特定の配列にも、または磁極のいずれの特定の極性にも制限されないものと解釈すべきであることに留意すべきである。
【図面の簡単な説明】
【００５２】
【図１】図１は、装身具内の磁石の第１環状配列の平面図を示し、
【図２】図２は、図１のＡ−Ａ線に沿った断面図を示し、
【図３】図３は、装身具内の磁石の第２環状配列の平面図を示し、
【図４】図４は、図３のＢ−Ｂ線に沿った断面図を示し、
【図５】図５は、装身具内の環状磁石の平面図を示し、
【図６】図６は、図５のＣ−Ｃ線に沿った断面図を示す。
【手続補正３】
【補正対象書類名】図面
【補正対象項目名】図２
【補正方法】変更
【補正の内容】
【図２】
2006526422.tif 000009
【手続補正書】
【提出日】平成18年6月2日(2006.6.2)
【手続補正１】
【補正対象書類名】特許請求の範囲
【補正対象項目名】請求項４
【補正方法】変更
【補正の内容】
【請求項４】
前記各磁石は装飾的金属によって少なくとも部分的に取り囲まれていることを特長とする請求項１〜３のいずれか１項に記載の装身具。
【手続補正２】
【補正対象書類名】特許請求の範囲
【補正対象項目名】請求項８
【補正方法】変更
【補正の内容】
【請求項８】
前記装身具は手指または他の指にはめるリングであることを特長とする請求項１〜７のいずれか１項に記載の装身具。
【手続補正３】
【補正対象書類名】特許請求の範囲
【補正対象項目名】請求項１０
【補正方法】変更
【補正の内容】
【請求項１０】
前記装身具はブレスレットであることを特長とする請求項１〜７のいずれか１項に記載の装身具。
【手続補正４】
【補正対象書類名】特許請求の範囲
【補正対象項目名】請求項１１
【補正方法】変更
【補正の内容】
【請求項１１】
前記装身具はバングルであることを特長とする請求項１〜７のいずれか１項に記載の装身具。
【手続補正５】
【補正対象書類名】特許請求の範囲
【補正対象項目名】請求項１２
【補正方法】変更
【補正の内容】
【請求項１２】
前記装身具は時計であることを特長とする請求項１〜７のいずれか１項に記載の装身具。
【手続補正６】
【補正対象書類名】特許請求の範囲
【補正対象項目名】請求項１４
【補正方法】変更
【補正の内容】
【請求項１４】
前記装身具は４つ以上の永久磁石を環状配列に有することを特長とする請求項１〜１３のいずれか１項に記載の装身具。
【手続補正７】
【補正対象書類名】特許請求の範囲
【補正対象項目名】請求項１８
【補正方法】変更
【補正の内容】
【請求項１８】
前記装身具対は１対のリングであることを特長とする請求項１５〜１７のいずれか１項に記載の１対の装身具。
【手続補正８】
【補正対象書類名】特許請求の範囲
【補正対象項目名】請求項２４
【補正方法】変更
【補正の内容】
【請求項２４】
前記装身具対は１対のリングであることを特長とする請求項２１〜２３のいずれか１項に記載の引力を与える方法。
【手続補正９】
【補正対象書類名】明細書
【補正対象項目名】０００３
【補正方法】変更
【補正の内容】
【０００３】
特許文献１（特開昭６０−２１４５１７号公報）の要約は、コバルトサマリウム粉末及びエラストマーからなり、転造して閉じたリングまたはシリンダにした永久磁石を記載している。外側周縁が一方の極を示し、内側周縁が逆の極を示す。
【手続補正１０】
【補正対象書類名】明細書
【補正対象項目名】０００４
【補正方法】変更
【補正の内容】
【０００４】
特許文献２（特開平８−３０８９４１号公報）の要約は、リングの厚い内側周縁部分のリセスに埋め込まれた１つまたは複数の永久磁石を有する装飾的かつ治療用リングを記載している。本要約は、磁界の方向または極性については論じていない。
【手続補正１１】
【補正対象書類名】明細書
【補正対象項目名】０００５
【補正方法】変更
【補正の内容】
【０００５】
特許文献３（特開平１１−２４４０１５号公報）の要約は、円周方向に沿って配置された長い磁石を埋め込んだ装飾的金属（金、銀、ホワイトゴールド、プラチナ及びそれらの合金、及び赤黄銅など）からなるリングを記載している。本要約は、いずれの磁界の方向または極性についても論じていない。
【手続補正１２】
【補正対象書類名】明細書
【補正対象項目名】０００６
【補正方法】変更
【補正の内容】
【０００６】
特許文献４（特開２０００−３３４０４９号公報）の要約は、リングの軸方向に沿って１つまたは複数の磁石を配置した装飾的かつ治療用リングを記載している。磁石は、装飾的金属で覆われる。本要約は、磁界の方向または極性については論じていない。
【手続補正１３】
【補正対象書類名】明細書
【補正対象項目名】０００７
【補正方法】変更
【補正の内容】
【０００７】
特許文献５（米国特許第５，９８９，１７８号公報）は、リングから外側に延出する１対の磁石を有する治療用手指リングを記載している。磁石の極は、リングの共通直径に沿って同様に配列されている。リングは、リングの外側に共通の磁極性を設けていない。
【手続補正１４】
【補正対象書類名】明細書
【補正対象項目名】０００８
【補正方法】変更
【補正の内容】
【０００８】
特許文献６（米国特許第６，１０１，８４３号公報）は、二重リング手指アクセサリを記載している。環状の外側リングが、環状の内側リング上に支持される。リングは、互いの周りを同軸的に相対回転可能である。リングは、金、銀またはプラチナなどの貴金属から形成してもよく、または廉価な金属または合成樹脂から形成することもできる。多数の永久磁石が、内側リングの外側周縁領域の周りに間隔を置いて配置されて、そこに埋め込まれる。同数の磁石も同様に、外側リングの周りに間隔を置いて配置されて、それに取り付けられる。永久磁石の向きは、内側及び外側リングのそれぞれの磁石が回転整合に近い位置にあるとき、リングの相対回転に伴って、感知できる引力または反発効果が生じるように配置される。
【手続補正１５】
【補正対象書類名】明細書
【補正対象項目名】０００９
【補正方法】変更
【補正の内容】
【０００９】
特許文献７（米国特許第６，５４４，１６４号公報）は、装着者に治療的恩恵を与えるために、弾性糸で天然水晶及びセラミックビーズとともにつながれたさまざまな形状及び色の磁気材料を記載している。
【手続補正１６】
【補正対象書類名】明細書
【補正対象項目名】００１０
【補正方法】変更
【補正の内容】
【００１０】
特許文献８（欧州特許出願第５１９，１６９号公報）は、治療に適用するための幾つかの磁気リング形部品を記載している。特に、その出願の図１に示され、かつ記載されている実施形態では、Ｓ極を内側周縁に、Ｎ極を外側周縁にする半径方向磁化が行われる。
【手続補正１７】
【補正対象書類名】明細書
【補正対象項目名】００３７
【補正方法】変更
【補正の内容】
【００３７】
磁石は、両方の、すなわち内側及び外側の周縁面に逆の極を有する。多重Ｎ極及びＳ極の場合、磁石は、同じ極が同じ側の向きになる、すなわち、一方の極性の極が半径方向外側に向き、逆の極性の極が半径方向内側に向いている。図５及び図６に示す配列では、図５にＳ及びＮの表示で表されるように、Ｓ極または複数のＳ極が外側に向き、Ｎ極または複数のＮ極が内側に向いている。これらの表示は、多重Ｎ極及びＳ極、または単一のＮ極及びＳ極の円周方向分布のいずれかを表している。
【国際調査報告】
2006526422.tif 000010
2006526422.tif 000011
2006526422.tif 000012